(57)【要約】【課題】比較的に少ない個数の駆動構成要素で対処すると共に、効率を改善する。【解決手段】牽伸ローラ対を構成する牽伸システム・ローラにより少なくとも一本の繊維スライバを牽伸する牽伸システムを有する練篠フレーム、カード機、コーミング機械などの紡績用前処理機上のデバイスであって、記牽伸システム・ローラを駆動する動力伝達手段を有すると共に駆動モータを有するというデバイスにおいて、上記牽伸システム・ローラの駆動は異なる側から行われる。比較的に少ない個数の駆動構成要素で対処すると共に、効率の相当な改善を行うために、上記駆動モータは２個の回転駆動要素を有し、少なくとも一組のローラ対の駆動は第1駆動要素により一側から行われ、且つ、少なくとも一組の他のローラ対の駆動は第2駆動要素により他側から行われる。【選択図】図１ａ
2008274519.tif 000002
【特許請求の範囲】
【請求項１】
牽伸ローラ対を構成する牽伸システム・ローラにより少なくとも一本の繊維スライバを牽伸する牽伸システムを有する練篠フレーム、カード機、コーミング機械などの紡績用前処理機上のデバイスであって、上記牽伸システム・ローラを駆動する動力伝達手段を有すると共に駆動モータを有し、上記牽伸システム・ローラの駆動は異なる側から行われるというデバイスにおいて、
上記駆動モータ(1)は２個の回転駆動要素(2a、2b)を有し、少なくとも一組のローラ対(60/III；59/II)の駆動は第1駆動要素(5；2a、3)により一側から行われ、且つ、少なくとも一組の他のローラ対(57、58/I)の駆動は第2駆動要素(6；2b、4)により他側から行われることを特徴とする、デバイス。
【請求項２】
前記駆動要素は、前記駆動モータの外方突出シャフト両端部であることを特徴とする、請求項１記載のデバイス。
【請求項３】
前記シャフト両端部には駆動プーリが夫々取付けられることを特徴とする、請求項１または２に記載のデバイス。
【請求項４】
前記駆動要素は前記駆動モータの回転外壁面であることを特徴とする、請求項１乃至３のいずれか一項に記載のデバイス。
【請求項５】
少なくとも、ひとつの駆動列においては伝動装置が在ることを特徴とする、請求項１乃至４のいずれか一項に記載のデバイス。
【請求項６】
前記伝動装置は前記駆動モータと少なくとも一対の被動ローラとの間に配置されることを特徴とする、請求項１乃至５のいずれか一項に記載のデバイス。
【請求項７】
機械的伝動装置が存在することを特徴とする、請求項１乃至６のいずれか一項に記載のデバイス。
【請求項８】
前記伝動装置はひとつの変速段を有することを特徴とする、請求項１乃至７のいずれか一項に記載のデバイス。
【請求項９】
前記伝動装置は前記駆動モータにより駆動されることを特徴とする、請求項１乃至８のいずれか一項に記載のデバイス。
【請求項１０】
前記牽伸ローラおよび／または前記伝動装置の駆動はベルトを経由して行われることを特徴とする、請求項１乃至９のいずれか一項に記載のデバイス。
【請求項１１】
前記ベルトは平坦ベルトであることを特徴とする、請求項１乃至１０のいずれか一項に記載のデバイス。
【請求項１２】
前記ベルトは歯付きベルトであることを特徴とする、請求項１乃至１１のいずれか一項に記載のデバイス。
【請求項１３】
前記ベルトはベルト張設プーリと組み合わされることを特徴とする、請求項１乃至１２のいずれか一項に記載のデバイス。
【請求項１４】
機械要素、特に牽伸システム・ローラを駆動する複数個の駆動プーリが在ることを特徴とする、請求項１乃至１３のいずれか一項に記載のデバイス。
【請求項１５】
各々が少なくとも２個の駆動プーリの回りを通る少なくとも一個の伝動要素、特にベルトが在ることを特徴とする、請求項１乃至１４のいずれか一項に記載のデバイス。
【請求項１６】
前記駆動プーリの内の少なくとも幾つかの駆動プーリは異なる直径を有することを特徴とする、請求項１乃至１５のいずれか一項に記載のデバイス。
【請求項１７】
前記牽伸システムの出力ローラ対の駆動は前記第1駆動要素により行われることを特徴とする、請求項１乃至１６のいずれか一項に記載のデバイス。
【請求項１８】
前記牽伸システムの入力ローラ対および中央ローラ対の駆動は前記第2駆動要素により行われることを特徴とする、請求項１乃至１７のいずれか一項に記載のデバイス。
【請求項１９】
前記第1駆動要素の駆動用駆動プーリは、前記出力ローラ対の被動用駆動プーリよりも大きな直径を有することを特徴とする、請求項１乃至１８のいずれか一項に記載のデバイス。
【請求項２０】
前記第2駆動要素の駆動用駆動プーリは前記伝動装置の入力部における被動用駆動プーリよりも小さな直径を有することを特徴とする、請求項１乃至１９のいずれか一項に記載のデバイス。
【請求項２１】
前記伝動装置の出力部における駆動用駆動プーリは、前記入力ローラ対および中央ローラ対のための被動用駆動プーリよりも小さな直径を有することを特徴とする、請求項１乃至２０のいずれか一項に記載のデバイス。
【請求項２２】
前記第2駆動要素の前記駆動用駆動プーリおよび前記伝動装置の入力部における前記被動用駆動プーリは、段状プーリとして構成されることを特徴とする、請求項１乃至２１のいずれか一項に記載のデバイス。
【請求項２３】
予備牽伸ローラ対および主要牽伸ローラ対を構成する牽伸システム・ローラが存在することを特徴とする、請求項１乃至２２のいずれか一項に記載のデバイス。
【請求項２４】
前記第1駆動要素からはカレンダ・ローラの駆動が導かれることを特徴とする、請求項１乃至２３のいずれか一項に記載のデバイス。
【請求項２５】
前記第1駆動要素からは回転プレートの駆動が導かれることを特徴とする、請求項１乃至２４のいずれか一項に記載のデバイス。
【請求項２６】
出力部においては１個の下側ローラが２個の上側ローラと協働することを特徴とする、請求項１乃至２５のいずれか一項に記載のデバイス。
【請求項２７】
前記入力ローラ対は一側における被動用駆動プーリおよび他側における駆動用駆動プーリを有しており、上記駆動用駆動プーリは前記中央ローラ対を駆動するために使用されることを特徴とする、請求項１乃至２６のいずれか一項に記載のデバイス。
【請求項２８】
前記中央ローラ対は一側における被動用駆動プーリと他側における駆動用駆動プーリとを有しており、上記駆動用駆動プーリは前記入力ローラ対を駆動するために使用されることを特徴とする、請求項１乃至２７のいずれか一項に記載のデバイス。
【請求項２９】
前記入力ローラ対および中央ローラ対を駆動するベルトは、少なくとも一個の案内プーリと組み合わされることを特徴とする、請求項１乃至２８のいずれか一項に記載のデバイス。
【請求項３０】
前記入力ローラ対および中央ローラ対を駆動するベルトは、少なくとも一個の張設プーリと組み合わされることを特徴とする、請求項１乃至２９のいずれか一項に記載のデバイス。
【発明の詳細な説明】
【技術分野】
【０００１】
本発明は、牽伸ローラ対を構成する牽伸システム・ローラにより少なくとも一本の繊維スライバを牽伸する牽伸システムを有する練篠フレーム、カード機、コーミング機械などの紡績用前処理機上のデバイスであって、上記牽伸システム・ローラを駆動する動力伝達手段を有すると共に駆動モータを有し、上記牽伸システム・ローラの駆動は異なる側から行われるというデバイスに関する。
【背景技術】
【０００２】
公知のデバイス(WO91/05893A)において、モータ1により駆動される駆動プーリ2は、平坦ベルト20と駆動プーリ3とにより主要駆動シャフト40に接続される。牽伸システム・ローラ30、31、32に対する回転は、駆動プーリ4および10により主要駆動シャフト40から導かれる。駆動プーリ4は駆動目的で、ベルト22と駆動プーリ5とにより中間駆動シャフト41に接続される。牽伸システム・ローラ30は、ベルト23により接続された駆動プーリ6および7を経由して中間駆動シャフト41により駆動される。異なる直径を有する駆動プーリ4、5、6および7の配置構成に依れば、牽伸されるべき繊維スライバと該繊維スライバに適用されるべき牽伸とに応じて、適切な回転運動が牽伸システム・ローラ30に適用されるべきである。繊維スライバの予備牽伸を行う牽伸システム・ローラ30、31は、駆動目的で平坦ベルト24により接続される。駆動プーリ8および9に対して適切な直径を選択することにより、繊維スライバの予備牽伸の程度を決定するという、牽伸システム・ローラ30、31の相互に対する回転速度比を達成することが可能である。牽伸システム・ローラ32の回転運動は、駆動プーリ10により主要駆動シャフト40から、且つ、駆動プーリ12により平坦ベルト21から得られる。牽伸システム・ローラ32は、繊維スライバの主要牽伸を行う。上記伝動機構レイアウトは、装置に関して不経済である。上記駆動手段は幾つかの分岐部を有すると共に、多数の駆動要素を有している。特定の問題は、数段の変速段階が必要であり、このことは伝動装置損失（ｇｅａｒ  ｌｏｓｓｅｓ）に帰着することから駆動手段の効率を更に低減するということになる。
【発明の開示】
【発明が解決しようとする課題】
【０００３】
故に本発明の基礎となる課題は、冒頭において記述された種類のデバイスであって、言及された不都合を回避し、特に、比較的に少ない個数の駆動構成要素で対処すると共に、その効率が概ね改善されるというデバイスを提供するに在る。
【課題を解決するための手段】
【０００４】
該課題は、請求項１の特徴部分の特徴により解決される。
すなわち１番目の発明によれば、牽伸ローラ対を構成する牽伸システム・ローラにより少なくとも一本の繊維スライバを牽伸する牽伸システムを有する練篠フレーム、カード機、コーミング機械などの紡績用前処理機上のデバイスであって、上記牽伸システム・ローラを駆動する動力伝達手段を有すると共に駆動モータを有し、上記牽伸システム・ローラの駆動は異なる側から行われるというデバイスにおいて、上記駆動モータ(1)は２個の回転駆動要素(2a、2b)を有し、少なくとも一組のローラ対(60/III；59/II)の駆動は第1駆動要素(5；2a、3)により一側から行われ、且つ、少なくとも一組の他のローラ対(57、58/I)の駆動は第2駆動要素(6；2b、4)により他側から行われることを特徴とする、デバイスが提供される。
【０００５】
本発明に依れば、牽伸システム・ローラの駆動手段の要素は必要な個数まで実用的に減少されることから、相当な経済的利点が得られる。各駆動要素は分岐部が殆ど無いように相互に対して配置されることから、機械的損失が回避される。モータの駆動力は牽伸システム・ローラに対して直接的にまたは唯一の伝動装置を介して導かれることから、特定の利点が得られる。結果として、高い回転速度における高いパフォーマンスを達成することで、駆動手段の効率を相当に改善できる。
【０００６】
請求項２乃至３０は、本発明の好適な発展例を包含する。
２番目の発明によれば、１番目の発明において、前記駆動要素は、前記駆動モータの外方突出シャフト両端部である。
３番目の発明によれば、１番目または２番目の発明において、前記シャフト両端部には駆動プーリが夫々取付けられる。
４番目の発明によれば、１番目から３番目のいずれかの発明において、前記駆動要素は前記駆動モータの回転外壁面である。
５番目の発明によれば、１番目から４番目のいずれかの発明において、少なくとも、ひとつの駆動列においては伝動装置が在る。
６番目の発明によれば、１番目から５番目のいずれかの発明において、前記伝動装置は前記駆動モータと少なくとも一対の被動ローラとの間に配置される。
７番目の発明によれば、１番目から６番目のいずれかの発明において、機械的伝動装置が存在する。
８番目の発明によれば、１番目から７番目のいずれかの発明において、前記伝動装置はひとつの変速段を有する。
９番目の発明によれば、１番目から８番目のいずれかの発明において、前記伝動装置は前記駆動モータにより駆動される。
１０番目の発明によれば、１番目から９番目のいずれかの発明において、前記牽伸ローラおよび／または前記伝動装置の駆動はベルトを経由して行われる。
１１番目の発明によれば、１番目から１０番目のいずれかの発明において、前記ベルトは平坦ベルトである。
１２番目の発明によれば、１番目から１１番目のいずれかの発明において、前記ベルトは歯付きベルトである。
１３番目の発明によれば、１番目から１２番目のいずれかの発明において、前記ベルトはベルト張設プーリと組み合わされる。
１４番目の発明によれば、１番目から１３番目のいずれかの発明において、機械要素、特に牽伸システム・ローラを駆動する複数個の駆動プーリが在る。
１５番目の発明によれば、１番目から１４番目のいずれかの発明において、各々が少なくとも２個の駆動プーリの回りを通る少なくとも一個の伝動要素、特にベルトが在る。
１６番目の発明によれば、１番目から１５番目のいずれかの発明において、前記駆動プーリの内の少なくとも幾つかの駆動プーリは異なる直径を有する。
１７番目の発明によれば、１番目から１６番目のいずれかの発明において、前記牽伸システムの出力ローラ対の駆動は前記第1駆動要素により行われる。
１８番目の発明によれば、１番目から１７番目のいずれかの発明において、前記牽伸システムの入力ローラ対および中央ローラ対の駆動は前記第2駆動要素により行われる。
１９番目の発明によれば、１番目から１８番目のいずれかの発明において、前記第1駆動要素の駆動用駆動プーリは、前記出力ローラ対の被動用駆動プーリよりも大きな直径を有する。
２０番目の発明によれば、１番目から１９番目のいずれかの発明において、前記第2駆動要素の駆動用駆動プーリは前記伝動装置の入力部における被動用駆動プーリよりも小さな直径を有する。
２１番目の発明によれば、１番目から２０番目のいずれかの発明において、前記伝動装置の出力部における駆動用駆動プーリは、前記入力ローラ対および中央ローラ対のための被動用駆動プーリよりも小さな直径を有する。
２２番目の発明によれば、１番目から２１番目のいずれかの発明において、前記第2駆動要素の前記駆動用駆動プーリおよび前記伝動装置の入力部における前記被動用駆動プーリは、段状プーリとして構成される。
２３番目の発明によれば、１番目から２２番目のいずれかの発明において、予備牽伸ローラ対および主要牽伸ローラ対を構成する牽伸システム・ローラが存在する。
２４番目の発明によれば、１番目から２３番目のいずれかの発明において、前記第1駆動要素からはカレンダ・ローラの駆動が導かれる。
２５番目の発明によれば、１番目から２４番目のいずれかの発明において、前記第1駆動要素からは回転プレートの駆動が導かれる。
２６番目の発明によれば、１番目から２５番目のいずれかの発明において、出力部においては１個の下側ローラが２個の上側ローラと協働する。
２７番目の発明によれば、１番目から２６番目のいずれかの発明において、前記入力ローラ対は一側における被動用駆動プーリおよび他側における駆動用駆動プーリを有しており、上記駆動用駆動プーリは前記中央ローラ対を駆動するために使用される。
２８番目の発明によれば、１番目から２７番目のいずれかの発明において、前記中央ローラ対は一側における被動用駆動プーリと他側における駆動用駆動プーリとを有しており、上記駆動用駆動プーリは前記入力ローラ対を駆動するために使用される。
２９番目の発明によれば、１番目から２８番目のいずれかの発明において、前記入力ローラ対および中央ローラ対を駆動するベルトは、少なくとも一個の案内プーリと組み合わされる。
３０番目の発明によれば、１番目から２９番目のいずれかの発明において、前記入力ローラ対および中央ローラ対を駆動するベルトは、少なくとも一個の張設プーリと組み合わされる。
【発明を実施するための最良の形態】
【０００７】
本発明は以下において、図中に示された好適実施例に関して相当に詳細に記述される。
図１ａ乃至図１ｃに依れば、たとえばTruetzschler TD 02などの練篠フレームの牽伸システムの伝動機構レイアウトは、電気駆動モータ1と牽伸システム下側ローラI、II、IIIとの間の接続関係を示している。特に、牽伸システム下側ローラI、II、IIIは歯付きベルトにより駆動される。牽伸システム上側ローラ(図５を参照)の回転は、上記下側ローラに対する上側ローラの接触圧力の結果として行われる。
【０００８】
モータ1は２つの端面を越えて突出する回転駆動シャフトを有し、該シャフトは２つのシャフト・ジャーナル2a、2b(シャフト端部)を形成する。ジャーナル2aおよび2b上には、該ジャーナルと一体的に回転すべく駆動用駆動プーリ3および4が夫々取付けられる。シャフト・ジャーナル2aおよび駆動プーリ3は第1駆動要素5を形成すると共に、シャフト・ジャーナル2bおよび駆動プーリ4は第2駆動要素6を形成する。
【０００９】
モータ1により駆動される駆動プーリ3は無限循環歯付きベルト7により、伝動装置10の被動用駆動プーリ8に接続される。これに加えて伝動装置10は、被動用駆動プーリ8と同軸的に配置された駆動用駆動プーリ9を有する。下側ローラIIIおよびIIのジャーナル11および12(すなわち駆動シャフト)上には、該ジャーナルと一体的に回転すべく被動用駆動プーリ14および15が夫々取付けられる。伝動装置10の駆動用駆動プーリ9は被動用駆動プーリ14および15に対し、それらの回りを通る無限循環歯付きベルト16によって接続される。参照符号Aは動作方向を表す。
【００１０】
以下の内容が好適であることが判明した：シャフト・ジャーナル2a、2bの回転速度はたとえば3000回転／分、駆動プーリ3の直径は65〜75mm、駆動プーリ8の直径は115〜125mm、駆動プーリ9の直径は40〜50mm、駆動プーリ8および9の回転速度は1500〜2000回転／分、駆動プーリ14の直径は40〜50mmで回転速度は1500〜2000回転／分、駆動プーリ15の直径は25〜35mmで回転速度は2400〜2600回転／分。
【００１１】
その様にして、入力ローラ対および中央ローラ対(図５参照)の駆動は第1駆動要素5によりモータ1の一側から行われる。
【００１２】
下側ローラIのジャーナル13(すなわち駆動シャフト)上には、該ジャーナルと一体的に回転すべく被動用駆動プーリ17が取付けられる。モータ1により駆動される駆動プーリ4は、該駆動プーリと被動用駆動プーリ17との回りを通る無限循環歯付きベルト18によりプーリ17に接続される。
【００１３】
以下の内容が好適であることが判明した：駆動プーリ4の直径は130〜150mm、駆動プーリ17の直径は40〜50mm、駆動プーリ17の回転速度は9000〜9600回転／分。
【００１４】
その様にして、上記出力ローラ(図５参照)の駆動は、第2駆動要素6によりモータ1の他側から行われる。
【００１５】
図２に依れば、材料の流れ方向Aの逆方向で見て、下側ローラIIおよびIIIは、歯付きベルト用プーリ14、15および歯付きベルト16の形態をなす共通包囲駆動手段により左側から駆動される。下側ローラIIおよびIIIの異なる回転速度は、駆動ジャーナル11、12において異なる歯数を有する変更ホィールにより実施される。作動中に、すなわち繊維スライバが方向Aに進行するとき、歯付きベルト16は方向Gに移動する。歯付きベルト16は、歯付きベルト用プーリ9から始まり、円滑案内プーリ20、歯付きベルト用プーリ14(下側ローラIIIのローラ駆動プーリ)、歯付きベルト用プーリ15(下側ローラIIのローラ駆動プーリ)、円滑案内プーリ21、および、歯付きベルト用プーリ22上を順次通過する。歯付きベルト16はその歯部により、歯付きベルト用プーリ14、15、22および9と相互係合する。歯付きベルト16の平面側(後側)、すなわち歯部形成側の逆側は、円滑案内プーリ20、21と接触または係合する。歯付きベルト16は、全てのプーリの回りを通過する。(牽伸の間において繊維スライバが方向Aに進行する)作動中に、歯付きベルト用プーリ14、15、22、9は時計方向に回転し、且つ、案内プーリ20、21は反時計方向に回転する。入力ローラ対および中央ローラ対の間のニップライン間隔が変更(増大もしくは減少)される場合には、キャリッジ23および／または24が変位され得る。
【００１６】
図３は図１ａと同様の構成を示しており、入力下側ローラIに関して被動用駆動プーリ14は一側に取付けられ且つ駆動用駆動プーリ25は他側に取付けられる。他側にては同様に、中央下側ローラIIが被動用駆動プーリ26に組み合わされる。駆動プーリ25は、歯付きベルト27により駆動プーリ26に接続される。結果として、上記入力下側ローラおよび中央下側ローラの駆動は異なる側から行われる。
【００１７】
図４は図１ａと同様の実施例を示しており、駆動用駆動プーリ4は被動用駆動プーリ28および被動用駆動プーリ29を駆動する。駆動プーリ28は駆動シャフト30上に取付けられ、該シャフト上には、駆動用駆動プーリ31および駆動用駆動プーリ32が同軸的に配置される。駆動用駆動プーリ31は下側ローラIIIに対する被動用駆動プーリ17に歯付きベルト33により接続される。
【００１８】
吐出ローラ34および35は夫々、シャフト36および37により被動用駆動プーリ38および39に対して同軸的に接続される。歯付きベルト40は、駆動プーリ32、38、39および更なる駆動プーリ41の回りを通る。
【００１９】
駆動プーリ29は、シャフト42により駆動プーリ43に対して同軸的に接続される。駆動プーリ43は、牽伸された繊維スライバに対する巻取器プレート45を歯付きベルト44により駆動し、歯付きベルト44は２つの案内プーリ47、48を経由して張設プーリ46と係合している。
【００２０】
図５に依ると、牽伸システム50の上流には、牽伸システム取入口51が配置され、牽伸システム５０の下流には牽伸システム吐出口52が配置される。(不図示の)ケンスから到来する繊維スライバ又はケンス無し繊維スライバ・パッケージから到来する繊維スライバ53は、スライバ案内手段54に入ると共に、吐出ローラ55、56により引出され、方向Aに更に搬送される。牽伸システム52はフォー・オーバー・スリー牽伸システムとして構成され、すなわち該システム、３個の下側ローラI、II、III(Iは出力下側ローラ、IIは中央下側ローラ、IIIは入力下側ローラ)と、４個の上側ローラ57、58、59、60とから成る。たとえば、出力下側ローラIに対しては40mm、中央下側ローラIIに対しては35mm、および、入力下側ローラIIIに対しては35mmの直径が選択され得る。下側ローラI、IIおよびIIIは、渦巻き状縦溝を有する。牽伸システム50においては、複数本の繊維スライバ53から成る繊維束の牽伸が実施される。牽伸操作は、予備牽伸操作および主要牽伸操作から構成される。ローラ対60/IIIおよび59/IIは予備牽伸領域を形成し、且つ、ローラ対59/IIおよび58、57/Iは主要牽伸領域を形成する。牽伸された繊維スライバは、牽伸システム吐出口52において、ウェブ案内手段61内へと通過すると共に、吐出ローラ34、35によりスライバ・ファネル62を通して引出され、其処で繊維スライバは組み合わされることで繊維スライバ63を形成し、該スライバは次に(不図示の)ケンス内に投入され又はケンス無し繊維スライバ・パッケージの形態である。参照符号Aは動作方向を表す。繊維スライバ63の出口速度は1200m/分以上である。上記各ローラの回転方向は湾曲矢印により表される。
【００２１】
図６に依ると、段状プーリ64がシャフト・ジャーナル2aに取付けられる。段状プーリ64の回転は、駆動プーリ9(図１ａ参照)と一体的に回転すべく該駆動プーリ上に取付けられた段状プーリ66に対して平坦ベルト65により伝達される。平坦ベルト65の再配置により、異なる速度伝達比を形成する。
【００２２】
図１ａに係る配置構成においても、与えられた直径を有する駆動プーリ3および／または8を、一例として、異なる直径もしくは異なる歯数を有する駆動プーリ3および／または8に置き換えることで、異なる速度伝達比が実施され得る。
【００２３】
伝動装置2aは、牽伸変更用の伝動装置（ｇｅａｒ）である。駆動プーリ3、8、9、14および／または15を変更することにより、牽伸システム・ローラIIおよびIIIの回転速度の変更が実施され得る。
【００２４】
少なくとも一組の第1ローラ対60/IIIおよび／または59/IIの駆動は第1駆動要素5；2a、3により一側から行われ、且つ、少なくとも一組の更なるローラ対57、58/Iの駆動は第2駆動要素6；2b、4により他側から行われるという牽伸システム50の例を用いて、本発明は説明されてきた。本発明は同一様式にて、少なくとも一組の更なるローラ対57、58/Iの駆動は第1駆動要素5；2a、3により一側から行われ、且つ、少なくとも一組のローラ対60/IIIおよび／または59/IIの駆動は第2駆動要素6；2b、4により他側から行われるという牽伸システム52を包含する。このことは、カレンダ・ローラ34、35および巻取器プレート45の駆動に対しても当てはまる。
【００２５】
牽伸システム50は、たとえば練篠フレームの場合には複数本の繊維スライバ53を牽伸し得る。牽伸システム50はまた、たとえばカード機(一体的練篠フレーム)の吐出口において、１本のみの繊維スライバも牽伸し得る。
【００２６】
本発明に係る上記デバイスに対する練篠フレームは、破断フレームとも称される。該フレームは実際問題として、概略的には均一化（ｌｅｖｅｌｌｉｎｇ）を行わない予備練篠フレームとして使用される。特に均一化を行わない予備練篠フレームの場合、牽伸に関する比較的に高度の可変性は使用者に必要とはされず、要求事項を遙かに越えるものである。この点において使用者は、自身の紡績計画に従い概略的に、変更されることが極めて希であるという固定的なダブリングおよび牽伸を行い、斯かる一切の変更は専ら固定量だけ行われる。本発明に係る上記デバイスは、牽伸に対応する主要変速機を有する伝動装置構成を有している。本発明は、主要牽伸変速機として、駆動手段および切換え点により最適な伝動機構の解決策を提供する。モータ制御手段に対する牽伸の機械的な伝動装置結合の結果として、装置に関する要件は概ね少なくされ得る。伝動装置全体がひとつのモータ1により駆動される。牽伸は、伝動装置10における主要変速段階により機械的に固定されている。
【００２７】
本発明に係る上記デバイスに依れば変速器は、それほど厳密さを必要とせずに自由に駆動制御され得る。これにより、機械的なモータ構成において、モータ1の両側が駆動手段を備えると共に伝動装置10は空間を最適に使用する極めて単純な形態を獲得するという成果が得られる。斯かる構成は特に、２つの駆動側を結合する少なくとも一本の中間シャフトを節約する。これに加え、全体的なベルト案内およびベルト張設が極めて簡素化されている。
【図面の簡単な説明】
【００２８】
【図１ａ】本発明に係る駆動手段を有する練篠フレームの伝動機構レイアウトの概略的平面図である。
【図１ｂ】図１ａに係る上記駆動手段の側面図である。
【図１ｃ】図１ａに係る上記駆動手段の側面図である。
【図２】２つの案内プーリを備えた入力下側ローラおよび中央下側ローラの駆動手段および変位可能軸受を示す図である。
【図３】図１ａと同様であるが、入力下側ローラの駆動および中央下側ローラの駆動が異なる側から行われる構成を示す図である。
【図４】図１ａと同様であるが、出力下側ローラおよび吐出ローラに対する共通駆動手段と巻取器プレートに対する駆動手段とを備えた伝動機構レイアウトを示す図である。
【図５】４個の上側ローラと３個の下側ローラとを有するフォー・オーバー・スリー牽伸システムの概略的側面図である。
【図６】いずれもが円錐状プーリとして構成された、第2駆動要素の駆動用駆動プーリと伝動装置の入力部における被動用駆動プーリとを示す図である。
【符号の説明】
【００２９】
１    駆動モータ
２ａ、２ｂ    シャフト・ジャーナル（回転駆動要素）
３、４    駆動用駆動プーリ
５    第1駆動要素
６    第2駆動要素
５７、５８、５９、６０    上側ローラ
Ｉ、ＩＩ、ＩＩＩ    下側ローラ
【図１ａ】
2008274519.tif 000003
【図１ｂ】
2008274519.tif 000004
【図１ｃ】
2008274519.tif 000005
【図２】
2008274519.tif 000006
【図３】
2008274519.tif 000007
【図４】
2008274519.tif 000008
【図５】
2008274519.tif 000009
【図６】
2008274519.tif 000010